(57)【特許請求の範囲】
【請求項１】
棟体の両脇にそれぞれ配した脚体で前記棟体を中空水平に支え、前記棟体に吊り下げ玩具体を吊り下げるブランコ形状の玩具において、前記棟体は、前記吊り下げ玩具体を吊り下げる基台と、該基台と前記脚体を接続する前記基台内に摺動収納される伸縮可能な伸縮腕体と、を有することを特徴とするブランコ形状玩具。
【請求項２】
請求項１において、棟体には基台の左右両端の脚体に固定されたそれぞれの伸縮腕体を棟体の基台内に設けた保持機構にて固定することを特徴とするブランコ形状玩具。
【請求項３】
請求項２において、伸縮腕体は摺動方向に距離を隔て少なくとも２ヶ以上の係止部を有することを特徴とするブランコ形状玩具。
【発明の詳細な説明】
【０００１】
【発明の属する技術分野】
本発明は乳幼児用玩具に関し、特に複数個の玩具が吊り下げられたブランコ状玩具の改良に関する。
【０００２】
【従来の技術】
本願出願人は特開平７−１４８３５４号にてブランコ状玩具を提供している。これは乳幼児用のブランコ状玩具であり、ブランコ式でブランコ部分にいろいろな軟質樹脂製のキャラクター玩具が取り付けられている。また、側面の横棒には回転自在な玩具が取付けられている。乳幼児がまだ起き上がれないうちはブランコの下で仰向けになって手でブランコのキャラクター玩具を揺らして楽しむのである。
【０００３】
また、乳幼児は、同玩具の側面の回転玩具を回転させると音がするので、なおさら面白がって運動をしながら、体操をするのである。さらに乳幼児は、ブランコのキャラクター玩具を手で揺らして、楽しみながら手腕の筋肉を付けるのである。乳幼児が少し大きくなって起てるようになると、棟体を伝え歩いたりして遊びながら知らず知らずのうちに体力を増強するのである。
【０００４】
【発明が解決しようとする課題】
従来のブランコ状玩具では脚幅が固定されており、ベビーベッド、ベビー布団の幅が異なる場合では使用できなかった。例えばベビーベッドで使用可能なブランコ状玩具は、ベビー布団の上に設置して使用すると、ベビー布団はベビーベッドに比べ横幅が広くブランコ状玩具の脚が布団の上に位置してしまい、うまく設置できずガタガタして不安定な状態に置かれてしまうのであった。
【０００５】
また、ブランコの下で仰向けになっている乳児の下にクッションや布団あるいはカーペット等、厚さの異なる敷物が敷かれることを考慮すると、乳児の手の届く位置にあるブランコのキャラクター玩具の高さを調整する必要があった。このためにはブランコのキャラクター玩具の高さが容易に調整できることが望ましく、従来品でもキャラクター玩具の高さ調整のベルトをスナップボタンで止めているものがあったが。しかし、これでは複数個のキャラクター玩具をひとつひとつ高さ調整しなければならず大変な作業であった。さらにブランコのキャラクター玩具を使用しないときは手の届かない高さに上げておきたいが、それは簡単なことではなかった。
【０００６】
なおさらにブランコのキャラクター玩具は取り外し可能で、取り外して外出するときにベビーカー等に取り付けられるようになっているが、スナップボタン式では長さ調整が限られてしまい、また面ファスナー式では乳幼児が引っ張って遊んでいるうちに外れてしまい落としてしまうなどの問題があった。
【０００７】
ブランコのキャラクター玩具は正面向きから真下向きと９０度の範囲で回動することが出来たが、その途中で例えば斜め下向きで止めて姿勢を保つ事ができず、寝ている乳幼児はブランコの真下に顔がないとそのキャラクターの顔が見えず、これではブランコ状玩具を寝ている乳幼児の顔の真上に設置しなければならず、使い勝手が悪かった。またその回動機構が複雑で部品が多くてコスト高となってしまっていた。
【０００８】
さらにブランコのキャラクター玩具の遊びにいろいろな動作があるほうが、乳幼児の発育上も望ましく、新たな動作が望まれていた。そこで本発明は、上記したこれらの課題を改善した乳幼児用のブランコ状玩具を得ることを目的として行われた。
【０００９】
【課題を解決するための手段】
本発明では、上記課題を解決したブランコ形状玩具を達成するための第１の構成は、棟体の両脇にそれぞれ配した逆Ｖ字型等の脚体で前記棟体を中空水平に支え、前記棟体に吊り下げ玩具体を吊り下げるブランコ形状の玩具において、棟体は、前記吊り下げ玩具体を吊り下げる基台と、該基台と前記脚体を接続する前記基台内に摺動収納される伸縮可能な伸縮腕体とを有するブランコ形状玩具としてある。
【００１０】
更に本発明に従うブランコ形状玩具の第２の構成として、第１の構成において、棟体には基台の左右両端の脚体に固定されたそれぞれの伸縮腕体を棟体の基台内に設けた保持機構にて固定してある。
【００１１】
また本発明に従うブランコ形状玩具の第３の構成として、第２の構成において、伸縮腕体は摺動方向に距離を隔て少なくとも２ヶ以上の係止部を有している。
【００１２】
【００１３】
【００１４】
【００１５】
【００１６】
【００１７】
【００１８】
【発明の実施の形態】
本発明を図面に基づき詳細に説明すると、図１にブランコ状玩具の脚幅を狭めた斜視図を示す。ブランコ状玩具１は硬質樹脂製で、高さが６６ｃｍ程、奥行きが６６ｃｍ程、脚幅が７０ｃｍ程の大きさで、公園にあるブランコとほぼ同一の形をしている。このブランコ状玩具は乳幼児が使用するもので、標準的なベビーベッド（図示しない）の柵内幅（７２ｃｍ）に設置できるようになっている。ブランコ状玩具には左右両側にコンパス状に脚を逆Ｖ字に開いた二本の支柱が設けてあり脚体２を構成している。コンパス状の頭部位置に接続体３が設けてあり、二本の支柱を逆Ｖ字に固定している。脚体２は基本的には逆Ｖ字状であればよいが、逆Ｖ字にこだわらず、棟体４にブランコの吊り下げフレーム同様に横方向に揺動力が加わるのでその力に対して棟体４を設置面に対しぐらつくことなく、保持する構造であればよい。
【００１９】
両側の接続体３、３間には棟体４が中空水平に架設されている。棟体の基台下面には吊り下げ部５が長さ方向に適宜間隔を有して３つ設けられている。吊り下げ部５にはいろいろなブランコである軟質樹脂製のキャラクター玩具１０を取り付けた吊り下げ玩具６が取り付けられている。同一の接続体３に固定された二本の支柱２、２間には、同一高さに横棒接続部７が互いに対向して取り付けられている。該横棒接続部７、７間には横棒８が架け渡され、該横棒８には様々な回転自在な回転玩具９が貫通して取付けられている。棟体４の中央正面には略半月状のサウンドボックス４ａが取りつけられ、内部にサウンド回路とスピーカを内蔵しメロディを奏でることができる。
【００２０】
図２は、乳幼児用のブランコ状玩具の脚幅を広げブランコを下げた斜視図である。棟体４には伸縮腕体４１が設けてあり左右の接続体３に接続されている。この状態での左右の脚間の内幅は７２ｃｍ程であり、標準的なベビー布団（横幅７０ｃｍ）を跨いで設置することができる。この状態で、乳幼児がブランコ状玩具１の下に寝ながら仰向けになり、吊り下げ玩具６を手で揺らしながらブランコのように前後に動かして遊ぶのである。
【００２１】
図３には棟体の伸縮構造を説明する平面図を示し、図４には棟体の正面図を示す。図５には棟体の分解斜視図を示す。棟体４はコッペパンを模した略矩形横長形状であり、内部に伸縮腕体の伸縮機構４０を構成している。図５に示すように、棟体４の基台は丁度コッペパンを中央平面、下方平面で３分割し中をくり抜いた形状の２層構造で台座４２、上方の台座上蓋４３、下方の台座下蓋４４からなる。台座４２と台座上蓋４３で構成される上層部は左右端がそれぞれ半小判状に切り欠きされ、台座４２と台座上蓋４３が合わさって左右端は横長の小判型の長孔４５となっている。
【００２２】
伸縮腕体４１は平面が縦長の凸形で、ほぼ基台の長さに匹敵し、左右両側の伸縮腕体４１が互いに嵌入され、台座４２と台座上蓋４３の空間で互いに嵌入自在に伸縮する構造になっている。伸縮機構４０は片側が凸字型で高さ方向に長手の摺動腕体４６と、他方の片側が凸字の下側の幅広部分に相当する摺動蓋体４７とが合わせネジ止め構成され、摺動腕体４６の幅広部４６ａと摺動蓋体４７とが合わさってできる断面は前記長孔４５の形状である。摺動腕体４６の中央に面する摺動蓋体４６側面は切欠した横長の長孔４７ａを有する。さらに幅狭部４６ｂには幅広部４６ａに接して中央長手方向に長孔４６ｃが開口している。またさらに幅狭部の両側面には前記長孔４６ｃの両端近くに厚さ方向にそれぞれ溝４６ｄ、４６ｅを有する。
【００２３】
伸縮機構４０は、左右それぞれ、摺動腕体４６を上下逆にし、幅狭部４６ｂを対峙させて、各幅狭部４６ｂを互いの長孔４７ａに嵌入する。そして台座４２の中央長手方向に設けた２ヶのボス部４２ａを長孔４６ｃに貫通させて伸縮機構４０を台座４２に対し左右に摺動自在に取り付ける。
【００２４】
左右の伸縮腕体４１が対峙して重なった位置で、幅狭部４６ｂの上には幅狭部を跨線する高床形状の摺動腕スットパー４８が台座上蓋４３の裏側に設けてあり、幅狭部４６ｂを横断する方向に摺動可能に取り付けられており、基台の後方外部からボタン４９を押すことにより摺動腕ストッパーの前脚４８ａを押し、摺動腕ストッパー４８が摺動する。摺動腕ストッパー４８は通常は中央に設けたバネ４８ｂで後方に付勢され、手前の脚部４８ｃに設けた突起４８ｄが摺動腕体の溝４６ｄ、４６ｅのいずれかに嵌合して左右の摺動腕体４６を固定する。
【００２５】
図６に摺動腕ストッパーの一部を切り欠いた基台の平面図で、棟体の伸縮動作を説明する。図６（Ａ）はブランコ状玩具の脚幅を短く固定した平面図であり、摺動腕ストッパーの突起４８ｄが摺動腕体の溝４６ｄに嵌合しており、バネ４８ｂによって付勢している。
【００２６】
図６（Ｂ）はブランコ状玩具の脚幅を延ばす（縮める）場合の平面図であり、操作者はボタン４９を押すことにより、摺動腕ストッパー４８がバネ４８ｂの付勢に打ち勝ち押され、突起４８ｄが摺動腕体の溝４６ｄから外れる。ボタン４９を押した状態で左右の伸縮腕体４１を左右に引き出す。
【００２７】
図６（Ｃ）はブランコ状玩具の脚幅を広げて固定した状態の平面図である。操作者が伸縮腕体４１を左右に引き伸ばすと、摺動腕体の長孔４６ｃの端部が台座のボス部４２ａに当接して止まり、ボタン４９を離すと摺動腕ストッパー４８はバネ４８ｂの付勢により元に戻りボタン４９が元の位置に戻り、突起４８ｄが溝４６ｅに嵌合する。これにより伸縮腕体４１を左右に広げたり、縮めたりすることが可能となる。
【００２８】
図７には図３及び図４の棟体のＡ−Ａ断面図を示し、図７（Ａ）はベルトが延びた状態、図７（Ｂ）はベルトを巻き上げる場合、図７（Ｃ）は巻き上げたベルトを無理に引っ張った場合、図７（Ｄ）はベルトを下に下げる場合を示す。図５の棟体の分解斜視図も踏まえて吊り下げ玩具の高さを調整する吊り下げ高さ調整機構５０について説明する。
【００２９】
図５において、台座下蓋４４は長手で後方側が底深で断面円形に形成されており、長手方向の円形の中央には長手の六角シャフト５１が掛け渡してある。六角シャフト５１には３つのローラ５２がそれぞれ距離を離して軸着してあり、各ローラにはベルト５２ａが巻着され各ローラ５２の前方の台座下蓋４４に設けた開口５２ｂから吊り下げられ、ベルト端にはバックル５２ｃが取り付けてある。中央と一方のローラ間において円筒形のダイヤル５３が六角シャフト５１に軸着され、ダイヤル５３は台座４２と台座下蓋４４の切欠４５から外部に露出している。ダイヤル５３は両側にダイヤルの経の半分ほどの爪ギア５３ａを有している。
【００３０】
図７（Ａ）に示すようにダイヤルを跨ぎダイヤルの両側の爪ギア５３ａに係止されるローラストッパー５４が台座下蓋４４から切欠４５の両脇に立設した取付部４４ａ、４４ａに傾動自在に取り付けられる。ローラストッパー５４は両側が略直角角形で直角部分に爪５４ａを有し、三角形の中央部外側に回動軸５４ｂを有し、対向する直角三角形の直角でない点を２つの長板５４ｃで平行に接続し、ダイヤル５３を軸方向に跨ぐ形状となっている。三角形の頂点から台座の下側との間にバネ５４ｅを掛け渡し、爪５４ａがダイヤルの爪ギア５３ａに係止するように付勢してある。三角形の上側の頂点どうしの長板５４ｃの中央上側にはボタン受け５４ｆが設けてある。ボタン５５が台座４２と台座上蓋４３との間に設けられて台座４２の後方に突出し、ボタン５５がボタン受け５４ｆに当接している。
【００３１】
この状態ではダイヤルの爪ギア５３ａにはローラストッパーの爪５４ａが係止めしており、六角シャフト５１を時計の針の進む方向に回動させることができず、ベルト５２ａは吊り下げ方向に引っ張って引き下げることができない。
【００３２】
ベルトを巻き上げるには図７（Ｂ）に示す如く、ダイヤル５３を半時計方向に回動させることにより、ダイヤルの爪ギア５３ａに係止している爪５４ａが爪ギア５３ａを滑べるので、ベルト５２ａをローラ５２に巻き上げることができる。図７（Ｃ）には巻き上げたベルトを無理に引っ張る場合が示される。この場合は爪ギア５３ａにローラストッパー５４の爪５４ａが噛んでおり、ローラ５２に巻き上げられたベルト５２ａは下げることができない。
【００３３】
図７（Ｄ）には図７（Ａ）のボタンを押した状態を示す断面図である。この場合はベルト５２ａを下げる場合であり、使用者はボタン５５を押すことにより、ローラストッパー５４は傾き、ダイヤルの爪ギア５３ａから爪５４ａを外し、ダイヤル５３を回転自在に開放する。この状態で、ダイヤル５３をベルト５２ａを吊り下げる方向（時計の針の進む方向）に回すとローラ５２に巻かれていたベルト５２ａが送り出されるのである。
【００３４】
図８（Ａ）及び図８（Ｂ）には吊り下げ玩具の一部欠損した正面図を示す。この実施例では、ライオン人形である軟質樹脂製のキャラクター玩具１０が示されている。該キャラクター玩具１０は逆Ｕ字のフレーム１１で上側から覆われている。逆Ｕ字のフレーム端は方形矩形の台座１２の両端に位置し、フレーム端には位置決め機構６０を設けてあり、キャラクター玩具１０を正面、斜め下、真下に回動自在に姿勢保持している。
【００３５】
台座１２には音鳴り機構８０が仕込まれており、台座下端には紐１３のついたボール１４が左右に吊り下がっている。フレーム１１の上部にはベルト取付部１５がフレーム１１に一体に取り付けられ、ビニール製のベルト１６が取り付けてある。
【００３６】
図９には吊り下げ玩具の側面図とその下に回動軸の位置決め機構の拡大図を示し、図８と共にキャラクター玩具の位置決め機構を説明する。図９（Ａ）はキャラクター玩具の通常の姿勢の側面図であり、図９（Ｂ）は手前斜めに４５度傾けた姿勢の側面図であり、図９（Ｃ）はキャラクター玩具を真下に向けた姿勢の側面図である。
【００３７】
台座の１２両端には正四角柱の回転軸６１が横設されている。逆Ｕ字のフレーム下端には回転軸６１を受ける軸受６２がそれぞれ両側に設けてある。軸受６２は内径が回転軸６１の一辺の長さの４倍程の内径を有する短円筒を横置きした形で、内径の４分の１程の高さ位置に水平な仕切板６３が軸受６２に一体に設けてある。軸受６２の内径部には天井及び左右４５度位置の３ヶ所に溝部６２ａ、６２ｂ、６２ｃが軸受けの筒厚方向に設けてある。
【００３８】
回転軸６１は軸受６２の中心に位置し、軸受内の仕切板６３の上方の空間に位置する位置決めクラッチ６４を取り付けてある。位置決めクラッチ６４は断面が野球グランドを真上から見た形状の扇型で野球の各ベース線上が肉厚で内野位置に回転軸６１を固着し、ファールラインを模される扇の両側が肉厚であり、ホームベース下側の要部６４ａは丸みを帯びている。扇部６４ｂは肉薄で軸受けの内径に沿った弧となっており外野部分は空間となって、弧の中央部外側には、前記溝部に填る突起６４ｃを有している。
【００３９】
これによりキャラクター玩具１０が正面を向いている図９（Ａ）においては、回転軸６１に固着された位置決めクラッチ６４は、突起６４ｃを軸受けの溝部６２ｂの位置で填っており、また位置決めクラッチの扇の左側が仕切板に水平に当接しており、安定してキャラクター玩具を正面位置に保持している。
【００４０】
図９（Ｂ）に示す如くキャラクター玩具１０を時計方向、つまり手前方向４５度に傾けると、位置決めクラッチは回転軸を中心に４５度回転する。すると扇の要下部６４ａが回転軸の回転に伴い仕切板６３上で回転するとともに扇の弾性により扇の突起６４ｃが軸受の溝部６２ｂから押し出され、軸受けの内径に当接しながら、天井の溝部６２ａ位置に来て填る。これによりキャラクター玩具１０は位置決めクラッチの扇下部６４ａと突起６４ｃにより軸受けに固定される。
【００４１】
そしてさらにキャラクター玩具を手前に倒し真下に向けると、図９（Ｃ）に示す位置になる。この場合は位置決めクラッチは、突起６４ｃを軸受の溝部６２ｃの位置で填り、扇の右側が仕切板に水平に当接し、安定してキャラクター玩具１０を真下に向け保持する。通常は位置決め機構６０には図５に示すように蓋体６５が回転軸６１に被っている。
【００４２】
図８（Ａ）及び図８（Ｂ）及び図１０を用いて、キャラクター玩具の音鳴り機構を示す。図８（Ａ）は左右のボールの高さが同一の状態を示し、図１０は吊り下げ玩具体の一部欠損の右側面図を示す。台座１２には音鳴り機構８０が設けてある。台座１２の下方中央部の前後には回動軸８１が掛け渡され、回動軸８１には円柱状のリール８２が貫通してあり、リール８２には紐１３を一巻きさせてあり、該紐１３は台座の底の左右に設けた開口部８３から左右に吊り下がり、紐１３の両端にボール１４が取り付けられている。
【００４３】
リール８２の片側には音鳴り歯車８４を設けてあり、台座の内底のボスには音鳴り歯車８４に噛合する音鳴り板８５がネジ止めして取り付けてある。これにより図８（Ｂ）に示す如く、片側のボール１４を引き下げると紐１３を引き下げ、リール８２に一巻きされた紐によりリール８２が回転して、音鳴り歯車８４が回り、音鳴り板８５を振動させライオンの鳴き声を模した擬音を発する。そして引っ張ったボール１４と反対側のボール１４が引き上げられる。次に引き上げられたボール１４を逆に引き下げると音鳴り歯車８４は逆に回転し、同様の擬音を発する。
【００４４】
図８、図１０及び図１１を用いて吊り下げ玩具の取り外し及び長さ調整が可能なベルトについて説明する。図１１（Ａ）は、吊り下げ玩具のベルトバックルにベルトを通すための側部断面図であり、図１１（Ｂ）はベルトバックル部の正面図である。
【００４５】
本吊り下げ玩具６はベルト１７を棟体の吊り下げ部５のベルトの端のベルトバックルに接続して、吊り下げるのである。吊り下げ玩具の逆Ｕ字のフレーム１１の中央にはベルトバックル１１０がフレーム１１と一体成形されている。
【００４６】
ベルトバックル１１０はフレーム１１の上側に方形の外枠体１１１の内側に間を開けて二本の横棒１１２、１１３が設けられている。即ち図１１（Ａ）のバックルの断面に示すように外枠の上の外枠体１１１ａは下方斜めに傾斜したおり、その下側には間を開けて横棒１１２が設けてあり、横棒１１２の上側面は外枠体１１１ａの下面に平行に斜めになって顎１１１ｂを形成しており、横棒の下側及び正面側は小突起１１２ａが複数長さ方向に沿って複数設けてある。そして横棒１１２の下方には間を開けて断面が丸い横棒１１３が設けてある。
【００４７】
ビニール製のベルト１７の一端が丸い横棒１１３に巻き付けられ縫着され、ベルトの他端が取り付ける対称物の棒に巻き、折り返してベルトバックル１１０の後方から横棒１１２の下側を通してベルトバックル正面に出され、外枠体１１１ａの下側を通ってベルトバックル１１０の後方に出しさらに上方に引き上げている。
【００４８】
こうすると、吊り下げ玩具６を下方に引っ張っても小突起を有する横棒１１２及び外枠体１１１のベルト先端と反対方向に向いた下側の顎１１１ｂによりベルト１７がベルトバックル１１０から外れることがないのである。吊り下げ玩具６を取り付けた対象物から取り外すには、ベルトを後方に倒してベルトの先端をゆるめて外せばよい。
【００４９】
【発明の効果】
上記構成による本発明の効果をそれぞれにわたり述べる。本発明の請求項１では、棟体は、吊り下げ玩具体を吊り下げる基台と、該基台と前記脚体を接続する前記基台内に摺動収納される伸縮可能な伸縮腕体とから構成されているので、左右の脚幅の長さを調整することができる。
【００５０】
更に本発明の請求項２では、棟体には基台の左右両端の脚体に固定されたそれぞれの伸縮腕体を棟体の基台内に設けた保持機構にて固定するので、長さ調整した後に左右の脚幅がしっかりの固定される。また本発明の請求項３では、請求項２の構成において、伸縮腕体は摺動方向に距離を隔て少なくとも２ヶ以上の係止部を有するので、左右の脚体の幅を短い、長いといった長さにして固定することができる。
【００５１】
このように横棒体に伸縮機構を採用したので、ブランコ状玩具の左右の脚幅が調整でき、伸ばすことで、床や畳等に敷かれたベビー布団を完全に跨ぐことができ、更に脚幅を狭めることによりベビーベッドの中でも使用できる。これにより使う場所を選ばす安定して設置することが可能になった。
【００５２】
【００５３】
【００５４】
【００５５】
【００５６】
【００５７】
【００５８】
【００５９】
【００６０】
【００６１】
【図面の簡単な説明】
【図１】ブランコ状玩具の脚幅を狭めた斜視図である。
【図２】ブランコ状玩具の脚幅を広げてブランコを下げた斜視図である。
【図３】棟体の伸縮構造を説明する平面図である。
【図４】棟体の正面図である。
【図５】棟体の分解斜視図である。
【図６】摺動ストッパーの一部を切欠いた基台の平面図で、棟体の伸縮動作を説明する図である。
【図７】棟体の断面図である。
【図８】吊り下げ玩具の一部欠損した正面図である。
【図９】吊り下げ玩具の側面図とその下方に回動軸の位置決め機構の拡大図である。
【図１０】吊り下げ玩具体の一部欠損の右側面図である。
【図１１】吊り下げ玩具のベルトバックル部分の側面図及び正面図である。
【符号の説明】
１…ブランコ状玩具
２…支柱
３…接続体
４…棟体
５…吊り下げ部
６…吊り下げ玩具
７…横棒接続部
８…横棒
９…回転玩具
１０…キャラクター玩具
１１…フレーム
１２…台座
１３…紐
１４…ボール
１５…ベルト取り付け部
１６…ベルト
４０…伸縮機構
４１…伸縮腕体
４２…台座
４３…台座上蓋
４４…台座下蓋
４５…長孔
４６…摺動腕体
４７…摺動蓋体
４８…摺動腕ストッパー
４９…ボタン
５０…吊り下げ高さ調整機構
５１…六角シャフト
５２…ローラ
５３…ダイヤル
５４…ローラスットッパー
５５…ボタン
６０…位置決め機構
６１…回転軸
６２…軸受け
６３…仕切板
６４…位置決めクラッチ
６５…蓋体
８０…音鳴り機構
８１…回動軸
８２…リール
８３…開口部
８４…音鳴り歯車
８５…音鳴り板
８６…吊り下げ玩具
１１０…ベルトバックル
１１１…外枠体
１１２…横棒
１１３…横棒
【図１】
0003772396.tif 000002
【図２】
0003772396.tif 000003
【図３】
0003772396.tif 000004
【図４】
0003772396.tif 000005
【図５】
0003772396.tif 000006
【図６】
0003772396.tif 000007
【図７】
0003772396.tif 000008
【図８】
0003772396.tif 000009
【図９】
0003772396.tif 000010
【図１０】
0003772396.tif 000011
【図１１】
0003772396.tif 000012